(57)【要約】【課題】キャリアアグリゲーション下のサウンディングメカニズムを提供する。【解決手段】キャリアアグリゲーション下のＬＴＥ−Ａシステムのサウンディングメカニズムが提供される。ＵＥは、マルチキャリアＬＴＥ−Ａシステムのプライマリキャリア上で、ｅＮＢから伝送されるアップリンクまたはダウンリンク承諾を受信する。ＵＥは指示キャリアを決定し、および、トリガー条件を検出して、承諾中の非周期的なサウンディング伝送に用いる。その後、ＵＥは、ＵＥ特定サウンディングリファレンスシグナル（ＳＲＳ）パラメータを選択する。最後に、ＵＥは、選択されたＵＥ特定ＳＲＳパラメータを用いて、指示キャリアで、非周期的なＳＲＳ（ａｐ−ＳＲＳ）を伝送する。一例において、アップリンクまたはダウンリンク承諾は、各種ＤＣＩフォーマットを搭載するＰＤＣＣＨにより伝送される。各ＤＣＩフォーマットはキャリアインジケーターフィールド（ＣＩＦ）を含み、クロスキャリアスケジューリングが有効な場合、どのキャリアがＡＰ−ＳＲＳ伝送に用いられるか示す。別の例において、ＤＣＩフォーマット３／３Ａは、複数の情報フィールドを搭載するＰＤＣＣＨにより伝送され、各フィールドは、ＵＥが、特定のキャリア中で、ａｐ−ＳＲＳを有効にすべきか示す。【選択図】図３
2013529040.tif 000002
【特許請求の範囲】
【請求項１】
方法であって、
マルチキャリア無線通信システム中、ユーザー装置（以下、ＵＥと称す）により、プライマリキャリア上で、基地局から伝送されるアップリンクまたはダウンリンク承諾を受信する工程と、
承諾中のキャリアインジケーターフィールド（以下、ＣＩＦと称す）から、指示キャリアを検出し、および、前記承諾中の非周期的なサウンディング伝送に用いるトリガー条件を検出する工程と、
ＵＥ特定サウンディングリファレンスシグナルパラメータ（以下、ＵＥ特定ＳＲＳパラメータと称す）を選択する工程と、
前記ＵＥ特定ＳＲＳパラメータを用いて、前記指示キャリア上で、非周期的なＳＲＳ（以下、ａｐ−ＳＲＳと称す）を伝送する工程と、
を含むことを特徴とする方法。
【請求項２】
前記承諾は物理ダウンリンク制御チャネル（以下、ＰＤＣＣＨと称す）で伝送され、前記ＰＤＣＣＨは、複数のダウンリンク制御情報フォーマット（以下、ＤＣＩフォーマットと称す）をサポートすることを特徴とする請求項１に記載の方法。
【請求項３】
各ＤＣＩフォーマットは前記ＣＩＦを含み、各ＤＣＩフォーマットは、ａｐ−ＳＲＳ伝送に用いるトリガービットを含むことを特徴とする請求項２に記載の方法。
【請求項４】
各ＤＣＩフォーマットは、無線リソース配置（ＲＲＣ）メッセージにより設定されるひとつ又は複数の所定のＵＥ特定ＳＲＳパラメータ組に対応することを特徴とする請求項２に記載の方法。
【請求項５】
ＤＣＩフォーマット−４は複数の所定のＵＥ特定ＳＲＳパラメータ組に対応し、ＤＣＩフォーマット−４は、前記複数の所定のＵＥ特定ＳＲＳパラメータ組のひとつに対応する値を有するＳＲＳリクエストを含むことを特徴とする請求項４に記載の方法。
【請求項６】
前記ＵＥ特定ＳＲＳパラメータは、最新のＵＥ特定無線リソース設定（ＲＲＣ）メッセージにより設定され、前記ＵＥ特定ＳＲＳパラメータは、ＳＲＳバンド幅、周波数ドメイン位置、伝送コム、循環シフトおよび複数のアンテナポートを含むことを特徴とする請求項１に記載の方法。
【請求項７】
前記指示キャリアは、物理アップリンク共有チャネル（ＰＵＳＣＨ）によるアップリンクデータ伝送、または、物理ダウンリンク共有チャネル（ＰＤＳＣＨ）によるダウンリンクデータ伝送に用いられることを特徴とする請求項１に記載の方法。
【請求項８】
ユーザー装置（以下、ＵＥと称す）であって、
アップリンクまたはダウンリンク承諾中のキャリアインジケーターフィールド（以下、ＣＩＦと称す）からの指示キャリアを決定し、および、前記承諾中の非周期的なサウンディング伝送のトリガー条件を検出し、前記承諾が、マルチキャリア無線通信システム中、プライマリキャリア上で、基地局から伝送される情報復号モジュールと、
ＵＥ特定サウンディングリファレンスシグナルパラメータ（以下、ＵＥ特定ＳＲＳパラメータと称す）を選択するサウンディングチャネル割り当てモジュールと、
前記ＵＥ特定ＳＲＳパラメータを用いて、前記指示キャリア上で、非周期的なＳＲＳ（以下、ａｐ−ＳＲＳと称す）を伝送するトランシーバと、
を含むことを特徴とするユーザー装置。
【請求項９】
前記アップリンクまたはダウンリンク承諾は物理ダウンリンク制御チャネル（以下、ＰＤＣＣＨと称す）中で伝送され、前記ＰＤＣＣＨは、複数のダウンリンク制御情報（以下、ＤＣＩフォーマットと称す）フォーマットをサポートすることを特徴とする請求項８に記載のユーザー装置。
【請求項１０】
各ＤＣＩフォーマットは前記ＣＩＦを含み、各ＤＣＩフォーマットは、ａｐ−ＳＲＳ伝送のトリガフィールドを含むことを特徴とする請求項９に記載のユーザー装置。
【請求項１１】
各ＤＣＩフォーマットは、各搬送波成分に用いられる無線リソース配置（ＲＲＣ）メッセージにより設定されるひとつ又は複数の所定のＵＥ特定ＳＲＳパラメータ組に対応することを特徴とする請求項９に記載のユーザー装置。
【請求項１２】
ＤＣＩフォーマット−４は複数の所定のＵＥ特定ＳＲＳパラメータ組に対応し、ＤＣＩフォーマット−４は、複数の所定のＵＥ特定ＳＲＳパラメータ組のひとつに対応する値を有するＳＲＳリクエストを含むことを特徴とする請求項１１に記載のユーザー装置。
【請求項１３】
前記ＵＥ特定ＳＲＳパラメータは、最新のＵＥ特定無線リソース設定（ＲＲＣ）メッセージにより設定され、前記ＵＥ特定ＳＲＳパラメータは、ＳＲＳバンド幅、周波数ドメイン位置、伝送コム、循環シフトおよび複数のアンテナポートを含むことを特徴とする請求項８に記載のユーザー装置。
【請求項１４】
前記指示キャリアは、物理アップリンク共有チャネル（ＰＵＳＣＨ）によるアップリンクデータ伝送、または、物理ダウンリンク共有チャネル（ＰＤＳＣＨ）によるダウンリンクデータ受信に用いられることを特徴とする請求項８に記載のユーザー装置。
【請求項１５】
方法であって、
マルチキャリア無線通信システム中、ユーザー装置（以下、ＵＥと称す）により、プライマリキャリア上で基地局により伝送されるＤＣＩフォーマットを受信する工程と、
前記ＤＣＩフォーマットの複数の情報フィールドに含まれる非周期的なサウンディング伝送トリガ情報を検出し、各フィールドの位置は指示キャリアに対応し、各フィールドの値はトリガ条件に対応する工程と、
ＵＥ特定サウンディングリファレンスシグナルパラメータ（以下、ＵＥ特定ＳＲＳパラメータと称す）を選択する工程と、
前記ＵＥ特定ＳＲＳパラメータを用いて、ひとつ以上の指示キャリア上で、非周期的なサウンディングリファレンスシグナル（以下、ａｐ−ＳＲＳと称す）を伝送する工程と、
を含むことを特徴とする方法。
【請求項１６】
前記ＤＣＩフォーマットは、物理ダウンリンク制御チャネル（ＰＤＣＣＨ）で伝送され、前記ＰＤＣＣＨは、ダウンリンク制御情報（ＤＣＩ）フォーマット３／３Ａをサポートすることを特徴とする請求項１５に記載の方法。
【請求項１７】
前記ＵＥは、第１情報フィールドにより始動される第１指示キャリアで、前記ａｐ−ＳＲＳを伝送し、前記ＵＥは、第２情報フィールドにより始動される第２指示キャリアで、前記ａｐ−ＳＲＳを伝送することを特徴とする請求項１５に記載の方法。
【請求項１８】
前記ＤＣＩフォーマットはＵＥ群に伝送され、各ＵＥは、前記アップリンク承諾の複数の情報フィールドに関連することを特徴とする請求項１５に記載の方法。
【請求項１９】
各ＵＥに関連する前記複数の情報フィールドの前記数量と位置は、無線リソース配置（ＲＲＣ）メッセージにより配置されることを特徴とする請求項１８に記載の方法。
【請求項２０】
前記ＵＥ特定ＳＲＳパラメータは、最新のＵＥ特定無線リソース設定（ＲＲＣ）メッセージにより設定され、前記ＵＥ特定ＳＲＳパラメータは、ＳＲＳバンド幅、周波数ドメイン位置、伝送コム、循環シフトおよび複数のアンテナポートを含むことを特徴とする請求項１５に記載の方法。
【発明の詳細な説明】
【技術分野】
【０００１】
この出願は、２０１０年６月１８日に出願された「Ｓｏｕｎｄｉｎｇ  Ｏｐｅｒａｔｉｏｎ  ｕｎｄｅｒ  ｃａｒｒｉｅｒ  ａｇｇｒｅｇａｔｉｏｎ  Ｓｃｅｎａｒｉｏｓ」と題された米国特許仮出願番号第６１／３５６０７７号から、合衆国法典第３５編第１１９条の下、優先権を主張するものであり、その内容は引用によって本願に援用される。
【０００２】
本発明は、無線ネットワーク通信に関するものであって、特に、キャリアアグリゲーション下のＬＴＥ−Ａシステム中のサウンディングチャネルシグナリングに関するものである。
【背景技術】
【０００３】
直交周波数分割多元接続（ＯＦＤＭＡ）は、直交周波数分割多重（ＯＦＤＭ）デジタル変調技術のマルチユーザーバージョンである。しかし、無線ＯＦＤＭＡシステムにおいて、マルチパスは好ましくない共有伝播現象であり、この現象により、無線信号が、二個以上のパスにより受信アンテナに達することになる。マルチパスにより生じる振幅または位相の信号変化もチャネル応答と称される。伝送器が受信器と伝送器との間のチャネル応答を活用する伝送技術は、閉ループ伝送技術と称される。多入力多出力（ＭＩＭＯ）アプリケーションンにおいて、閉ループ伝送技術は、開ループＭＩＭＯ技術と比較してさらにロバスト性に優れている。
【０００４】
チャネル情報を伝送器に提供する方法の一つは、アップリンク（ＵＬ）サウンディングチャネルの使用である。チャネルサウンディングは、移動局（ユーザー装置（ＵＥ）とも称される）が、アップリンクチャネル上で、サウンディングリファレンスシグナル（ＳＲＳ）を伝送し、基地局（ｅＮｏｄｅＢとも称される）を有効にして、ＵＬチャネル応答を推定するシグナリングメカニズムである。チャネルサウンディングは、アップリンクおよびダウンリンクチャネルの相互関係が、通常、時分割二重（ＴＤＤ）システム中で、真（ｔｒｕｅ）であると仮定する。ＴＤＤシステム中、ＵＬ伝送の周波数帯域幅は、ＤＬ伝送の周波数帯域幅を含むので、ＵＬチャネルサウンディングは、ダウンリンク伝送で、閉ループＳＵ／ＭＵ−ＭＩＭＯを有効にする。たとえば、ｅＮｏｄｅＢは、ＳＲＳにより測定されるチャネル状態情報（ＣＳＩ）に基づいて、非コードブックベースのダウンリンクビーム形成を実行することができる。ＴＤＤおよび周波数分割二重（ＦＤＤ）両システムで、ＵＬチャネルサウンディングは、ＵＬ閉ループＭＩＭＯ伝送も有効にすることができる。たとえば、ｅＮｏｄｅＢは、ＳＲＳにより測定されるＣＳＩに基づいて、ＵＥに用いられる最適なプリコーディングウェイト（ベクトル／マトリクス）（たとえば、コードブックから最適ＰＭＩを選択する）を選択することにより、コードブックベースのアップリンクビーム形成を実行することができ、よって、ＵＥが、ＵＬ伝送で、閉ループＳＵ／ＭＵ−ＭＩＭＯを実行することができる。ＴＤＤシステムにおいて、ＵＬチャネルサウンディングは周波数選択スケジューリングにも用いることができ、ｅＮｏｄｅＢは、ダウンリンクとアップリンク伝送両方で、ＵＥをその最適周波数バンドにスケジューリングする。
【０００５】
３ＧＰＰ  ＬＴＥ−アドバンスド（ＬＴＥ−Ａ）無線通信システムにおいて、２種のＳＲＳが定義される。第一種の周期的ＳＲＳ（Ｐ−ＳＲＳ）は、長期チャネル情報を得るために用いられる。Ｐ−ＳＲＳの周期は通常、長く（３２０ｍｓに達する）、オーバーヘッドを減少させる。Ｐ−ＳＲＳパラメータは、高層の無線リソース制御（ＲＲＣ）により配置され、このような配置時間は長く（たとえば、１５−２０ｍｓ）、フレキシブル性が低い。リリース１０でサポートされるアップリンクＭＩＭＯにとって、特に、ＵＥの数量が多くなるとき、Ｐ−ＳＲＳリソースは、閉ループ空間多重化（ｓｐａｔｉａｌ  ｍｕｌｔｉｐｌｅｘｉｎｇ）のために、高いリソースを必要とする。第二種の非周期的なＳＲＳ（ＡＰ−ＳＲＳ）は、リリース１０に導入される新しい特徴である。ＡＰ−ＳＲＳは、物理ダウンリンク制御チャネル（ＰＤＣＣＨ）によって、ダウンリンクまたはアップリンクのグラントのいずれか一方により始動する。一旦始動する（トリガーとなる）と、ＵＥは、一回の伝送の所定位置で、サウンディングシーケンスを伝送する。ＡＰ−ＳＲＳは、アップリンクＭＩＭＯのマルチアンテナサウンディングをサポートする。ＡＰ−ＳＲＳは、Ｐ−ＳＲＳよりさらにフレキシブルである。ＡＰ−ＳＲＳは、ＡＰ−ＳＲＳとＰ−ＳＲＳ間の多重化により、Ｐ−ＳＲＳにより用いられない残りのリソースを用いることができる。
【０００６】
キャリアアグリゲーション（ＣＡ）は、３ＧＰＰ  ＬＴＥ−Ａシステムで、全部の４Ｇ強化の一部分として導入される。キャリアアグリゲーションにより、ＬＴＥ−Ａシステムは、ダウンリンク（ＤＬ）中の１Ｇｂｐｓおよびアップリンク（ＵＬ）中の５００Ｍｂｐｓを超えるピークターゲットデータレートをサポートすることができる。このような技術は、オペレータが、幾つかのより小さい連続または非連続搬送波成分（ＣＣ）を集約して、大きなシステムバンド幅を提供し、かつ、レガシーユーザーが、搬送波成分のひとつのアクセスシステムを用いて、下位互換性を提供するので、非常に魅力的である。キャリアアグリゲーション下で、各ＵＥは、一プライマリキャリア（即ち、Ｐｃｅｌｌ）および複数のセカンダリーキャリア（即ち、Ｓｃｅｌｌ）を有する。クロスキャリアスケジューリング状況下で、ＰＤＣＣＨは、１個のＰｃｅｌｌだけから受信される。しかし、チャネルサウンディングは、ＰｃｅｌｌおよびＳｃｅｌｌ両方に配置される。どのように、キャリアアグリゲーション下で、Ｐｃｅｌｌ中でＰＤＣＣＨを応用して、Ｓｃｅｌｌ中のＡＰ−ＳＲＳを始動するかが、ＬＴＥ−Ａサウンディングが直面する問題である。
【発明の概要】
【発明が解決しようとする課題】
【０００７】
キャリアアグリゲーション下のサウンディングメカニズムを提供する。
【課題を解決するための手段】
【０００８】
キャリアアグリゲーション下のＬＴＥ−Ａシステムのサウンディングメカニズムが提供される。ユーザー装置（ＵＥ）は、マルチキャリアＬＴＥ−Ａシステムのプライマリキャリアで、基地局（ｅＮＢ）から伝送されるアップリンクまたはダウンリンク承諾を受信する。ＵＥは、指示キャリアを決定し、アップリンクまたはダウンリンク承諾中の非周期的なサウンディング伝送に用いられるトリガー条件を検出する。アップリンクまたはダウンリンク承諾は、物理ダウンリンク制御チャネル  （ＰＤＣＣＨ）により伝送される。その後、トリガー条件が真の場合、ＵＥは、ＵＥ特定サウンディングリファレンスシグナル（ＳＲＳ）パラメータを選択する。ＵＥ特定ＳＲＳパラメータは、上層無線リソース制御（ＲＲＣ）シグナリングにより設定される。最後に、ＵＥは、選択されたＵＥ特定ＳＲＳパラメータを用いて、指示キャリア上で、非周期的なＳＲＳ（ＡＰ−ＳＲＳ）を伝送する。
【０００９】
一例において、アップリンク承諾は、ＤＣＩフォーマット０または４を搭載するＰＤＣＣＨにより伝送され、ダウンリンク承諾は、ＤＣＩフォーマット１Ａ、２Ｂまたは２Ｃを搭載するＰＤＣＣＨにより伝送される。クロスキャリアスケジューリングが有効な場合、各ＤＣＩフォーマットはキャリアインジケーターフィールド（ＣＩＦ）を含む。ＣＩＦは、ＰＵＳＣＨ伝送またはＰＤＳＣＨ受信のスケジューリングに用いられる。本実施態様において、ＡＰ−ＳＲＳは、ＣＩＦにより指示される同じキャリアで伝送されて、クロスキャリアスケジューリングを達成する。
【００１０】
別の例において、ＤＣＩフォーマット３／３Ａは、ＰＤＣＣＨによりＵＥ群に伝送される。ＤＣＩフォーマット３／３Ａは複数の情報フィールドを含み、各フィールドは、ＵＥが、特定のキャリア中のＡＰ−ＳＲＳを有効にすべきかを示すのにも用いられる。各情報フィールドの位置はＵＥの指示キャリアに対応し、各情報フィールドの値はトリガー条件に対応する。一旦始動されると、ＵＥは、示されたひとつ以上のキャリアで、ＡＰ−ＳＲＳを伝送する。複数のキャリアが同じＰＤＣＣＨで示される。
【図面の簡単な説明】
【００１１】
【図１】本実施形態によるマルチキャリア無線通信システムのアップリンクチャネルサウンディングを示す図である。
【図２】本実施形態によるアップリンクチャネルサウンディングを有するマルチキャリアＬＴＥ−Ａ無線通信システムを示す図である。
【図３】本実施形態によるアップリンクＡＰ−ＳＲＳ伝送の第一方法のフローチャートである。
【図４】アップリンクＡＰ−ＳＲＳトリガーメカニズムの第１の方法の一例を示す図である。
【図５】アップリンクＡＰ−ＳＲＳ伝送の第１の方法の詳細な例を示す図である。
【図６】本実施形態によるアップリンクＡＰ−ＳＲＳ伝送の第２の方法のフローチャートである。
【図７】アップリンクＡＰ−ＳＲＳトリガーメカニズムの第２の方法の一例を示す図である。
【発明を実施するための形態】
【００１２】
本発明の実施態様について詳細に述べる。その例は添付図面に示されている。
図１は、本実施態様によるマルチキャリア３ＧＰＰ  ＬＴＥ−Ａ無線通信システム１０のアップリンクチャネルサウンディングを示す図である。ＬＴＥ無線通信システムにおいて、基地局（ｅＮＢとも称され、たとえば、ｅＮＢ１１）および移動局（ユーザー装置（ＵＥ）とも称され、たとえば、ＵＥ１２）は、一連のフレームに搭載されるデータの送受信により通信する。各フレームは、複数のダウンリンク（ＤＬ）サブフレームおよび複数のアップリンク（ＵＬ）サブフレームを含み、複数のダウンリンク（ＤＬ）サブフレームは、ｅＮＢがデータをＵＥに伝送するのに用いられ、複数のアップリンク（ＵＬ）サブフレームは、ＵＥがデータをｅＮＢに伝送するために用いられる。アップリンクチャネルサウンディングはシグナリングメカニズムで、各種の閉ループ伝送技術、たとえば、ＤＬ／ＵＬビーム形成および周波数選択スケジューリングを促進する。アップリンクチャネルサウンディングにとって、ｅＮＢは、サウンディングリファレンスシグナル（ＳＲＳ）パラメータを設定して、ＳＲＳリソースを前のＤＬサブフレーム（たとえば、サブフレームＤＬ１３）に割り当て、ＵＥは、サウンディング信号を後続のＵＬサブフレーム（たとえば、ＤＬ１４）中で伝送して、ｅＮＢを有効にし、ＵＬチャネル応答を推定する。
【００１３】
３ＧＰＰ  ＬＴＥ−Ａシステムにおいて、２種のＳＲＳがアップリンクチャネルサウンディングに定義される。第１種では、周期的ＳＲＳ（ｐ−ＳＲＳ）が用いられて、長期チャネル応答情報を得る。Ｐ−ＳＲＳの周期は通常長い（３２０ｍｓに達する）。Ｐ−ＳＲＳパラメータは、高層の無線リソース制御（ＲＲＣ）により、設定されて、始動され、このような設定時間は長く（たとえば、１５−２０ｍｓ遅延）、フレキシブル性が低い。第２種では、非周期的なＳＲＳ（ａｐ−ＳＲＳ）がＲＲＣにより設定される。しかし、ａｐ−ＳＲＳは、ｅＮＢからのアップリンクまたはダウンリンク承諾により動的に始動される。一旦始動されると、ＵＥは、サウンディング信号を所定位置のｅＮＢに伝送する。ａｐ−ＳＲＳは、アップリンクＭＩＭＯのマルチアンテナサウンディングをサポートするリリース（Ｒｅｌｅａｓｅ）１０に導入される新しい特徴である。その後、ａｐ−ＳＲＳは、ｐ−ＳＲＳよりさらにフレキシブルで、残りのリソースを使用することができ、残りのリソースは、Ａｐ−ＳＲＳおよびｐ−ＳＲＳ間の多重化により、ｐ−ＳＲＳにより用いられない。
【００１４】
従来、ｐ−ＳＲＳパラメータはＲＲＣにより設定される。しかし、ａｐ−ＳＲＳパラメータを動的に始動および設定するため、長い遅延により、高層のＲＲＣの使用はもはや有効ではない。よって、より早い物理層シグナリング方法が、ａｐ−ＳＲＳのトリガーとａｐ−ＳＲＳパラメータの設定のためには好ましい。一例において、ａｐ−ＳＲＳは、合理的なフレキシブル性を提供する物理ダウンリンク制御チャネル（ＰＤＣＣＨ）により始動される。キャリアアグリゲーションを有するマルチキャリアＬＴＥ−Ａシステムにおいて、各ＵＥは、プライマリキャリア（即ち、Ｐｃｅｌｌ）および複数のセカンダリーキャリア（即ち、Ｓｃｅｌｌ）を有する。クロスキャリアスケジューリングの状況下で、ＰＤＣＣＨは、Ｐｃｅｌｌだけで受信される。しかし、アップリンクチャネルサウンディングは、ＰｃｅｌｌおよびＳｃｅｌｌ中に設定される。
【００１５】
本実施形態において、クロスキャリアスケジューリングを有するａｐ−ＳＲＳを用いたアップリンクチャネルサウンディングの例が図１に示される。基地局ｅＮＢ１１は、前のダウンリンクサブフレームＤＬ１３中、プライマリキャリア（たとえば、ＰＣＥＬＬ）上のアップリンク承諾中のａｐ−ＳＲＳトリガ情報を伝送する。ａｐ−ＳＲＳトリガ情報に基づいて、ＵＥ１２は、アップリンク承諾中のトリガー条件およびキャリア指示情報を検出する。トリガー条件が真の場合、ＵＥは、最新のＲＲＣで設定されたＵＥ特定ａｐ−ＳＲＳパラメータを選択する。最後に、ＵＥ１２は、選択されたＵＥ特定ａｐ−ＳＲＳパラメータにより、後続のアップリンクサブフレームＵＬ１４中の指示キャリア（たとえば、ＳＣＥＬＬ）で、ａｐ−ＳＲＳを伝送する。
【００１６】
図２は、本実施態様によるアップリンクチャネルサウンディングを有するマルチキャリア３ＧＰＰ  ＬＴＥ−Ａ無線通信システム２０を示す図である。ＬＴＥ−Ａシステム２０は、ユーザー装置ＵＥ２１および基地局ｅＮＢ２２を含む。ＵＥ２１は、メモリ３１、プロセッサ３２、情報復号モジュール３３、ＳＲＳおよびサウンディングチャネル割り当てモジュール３４、アンテナ３６に結合されるトランシーバ３５を含む。同様に、ｅＮＢ２２は、メモリ４１、プロセッサ４２、情報符号化モジュール４３、チャネル推定モジュール４４、アンテナ４６に結合されるトランシーバ４５を含む。
【００１７】
マルチキャリアアップリンクチャネルサウンディングにとって、ｅＮＢ２２は、プライマリキャリア（たとえば、ＰＣＥＬＬ）上のＤＬサブフレームで、符号化されたシグナリング情報をＵＥ２１に伝送することにより、ＳＲＳパラメータを設定し、ＳＲＳリソースを割り当てる。シグナリング情報に基づき、ＵＥ２１は、アップリンクチャネル推定のために、ＳＲＳパラメータを復号し、かつ、ＵＬサブフレーム中で割り当てられたサウンディングチャネルにより、セカンダリキャリア（たとえば、ＳＣＥＬＬ）で、サウンディング信号をｅＮＢ２２に送り戻す。本実施形態において、アップリンクサウンディング工程における上述の機能は、異なるモジュールにより、ハードウェア、ソフトウェア、ファームウェアまたはそれらの組み合わせで実施される。上述の機能は、同じモジュールで一緒に実行されるか、または、別のモジュールで別に実行される。たとえば、ｅＮＢ側で、情報符号化モジュール４３は、キャリア指示情報およびａｐ−ＳＲＳトリガー情報により、アップリンク承諾を準備し、トランシーバ４５は、ＰＣＥＬＬ上で、アップリンク承諾をＵＥ２１に伝送する。ＵＥ側で、情報復号モジュール３３は、キャリア指示情報およびａｐ−ＳＲＳトリガー情報を検出し、ＳＲＳおよびサウンディングチャネル割り当てモジュール３４は、割り当てられたサウンディングチャネルにおいて、ａｐ−ＳＲＳをマップし、トランシーバ３５は、指示キャリア（たとえば、ＳＣＥＬＬ）上で、ａｐ−ＳＲＳをＵＥ２２に送り戻す。最後に、ｅＮＢ側で、トランシーバ４５はａｐ−ＳＲＳを受信し、受信したａｐ−ＳＲＳに基づいて、チャネル推定モジュール４４は、アップリンクチャネル応答を推定する。
【００１８】
図３は本実施形態によるマルチキャリアＬＴＥ−Ａシステムにおけるアップリンクａｐ−ＳＲＳ伝送の第１の方法のフローチャートである。マルチキャリアＬＴＥ−ＡシステムはｅＮＢとＵＥを含む。ｅＮＢおよびＵＥは、プライマリＲＦキャリア（たとえば、ＰＣＣ上のＰＣＥＬＬ）及び１つ又は複数のセカンダリＲＦキャリア（たとえば、ＳＣＣ上のＳＣＥＬＬ）を含む複数の無線周波数キャリア上で接続される。ステップ１０１において、ＵＥは、ＰＣＥＬＬ上で、ｅＮＢから伝送されるアップリンクまたはダウンリンク承諾を受信する。ステップ１０２において、ＵＥは、承諾中のキャリア情報フィールド（ＣＩＦ）から、指示キャリア（たとえば、ＳＣＥＬＬのひとつ）を決定し、承諾中のＡＰ−ＳＲＳ伝送に用いるトリガー条件を検出する。トリガー条件が真の場合、ＵＥは、ＣＩＦの値に基づいて、最新のＵＥ特定ＲＲＣメッセージを選択する（ステップ１０３）。最後に、ＵＥは、選択されたＵＥ特定ＳＲＳパラメータを用いて、指示キャリア上で、ａｐ−ＳＲＳを伝送する（工程１０４）。アップリンクＡＰ−ＳＲＳトリガーメカニズムの第１の方法は、“ＵＥ特定トリガー”とも称される。
【００１９】
図４は、マルチキャリアＬＴＥ−Ａシステム４０におけるアップリンクＡＰ−ＳＲＳ伝送メカニズムの第１の“ＵＥ特定トリガー”方法の一例を示す図である。マルチキャリアＬＴＥ−Ａシステム４０はｅＮＢとＵＥを含む。ｅＮＢおよびＵＥは、プライマリキャリア（たとえば、ＰＣＥＬＬ）および２個のセカンダリーキャリア（たとえば、ＳＣＥＬＬ＃０およびＳＣＥＬＬ＃１）を含む複数のＲＦキャリア上で接続される。ｅＮＢは、ＰＤＣＣＨにより、アップリンクまたはダウンリンク承諾を伝送する。ＰＤＣＣＨは、各種ダウンリンク制御情報（ＤＣＩ）フォーマットをサポートする。各ＤＣＩフォーマットにおいて、１個の情報フィールドがあり、“キャリアインジケーター”（ＣＩＦ）と称される。一般に、“キャリアインジケーター”は、どのキャリアがこのアップリンク承諾を用いて、物理アップリンク共有チャネル（ＰＵＳＣＨ）データ伝送または物理ダウンリンク共有チャネル（ＰＤＳＣＨ）データ受信を実行すべきかを示す。本実施形態において、ａｐ−ＳＲＳは、ＰＵＳＣＨ伝送に用いられる同じキャリア上で伝送され、ＣＩＦは同じキャリアを示す。図４の例において、アップリンク承諾中のＣＩＦの値は、キャリアＳＣＥＬＬ＃１（たとえば、ＣＩＦ＝”＃１”）を示す。その結果、ＰＵＳＣＨ伝送は、アップリンク承諾（たとえば、灰色の領域で示される）に基づいて、ＳＣＥＬＬ＃１上でスケジューリングされる。このほか、ａｐ−ＳＲＳ伝送は、同じアップリンク承諾（たとえば、斜線の領域で示される）に基づいて、同じキャリアＳＣＥＬＬ＃１上で始動される。
【００２０】
図５は、マルチキャリアＬＴＥ−Ａシステム５０におけるアップリンクＡＰ−ＳＲＳ伝送の第１の“ＵＥ特定トリガー”方法の詳細な例を示す図である。マルチキャリアＬＴＥ−Ａシステムは、ｅＮＢ５１およびＵＥ５２を含み、プライマリＲＦキャリアＰＣＥＬＬおよびセカンダリＲＦキャリアＳＣＥＬＬ＃０上で、互いに接続される。ＡＰ−ＳＲＳ伝送を始動するため、ｅＮＢ５１は、ＰＤＣＣＨ５３により、アップリンク承諾を伝送する。図５の例において、ＰＤＣＣＨ５３は、ブロック５４に示されるＤＣＩフォーマット４をサポートする。ＤＣＩフォーマット４は、０又は３ビット長の“キャリアインジケーター”フィールド（ＣＩＦ）を含む。ＣＩＦは、フォーマット４の“＃０”であり、セカンダリキャリアＳＣＥＬＬ＃０を示す。アップリンク承諾の受信後、ＵＥ５２は、ＳＣＥＬＬ＃０上で、ＰＵＳＣＨ伝送を実行する。このほか、ＵＥ５２は、アップリンク承諾で、あらゆるトリガー条件を検出することにより、ＳＣＥＬＬ＃０上で、ａｐ−ＳＲＳ伝送を始動するか決定する。トリガー条件が真の場合、ＵＥ５２は、ＣＩＦの値に基づいて、最新のＵＥ特定ＲＲＣメッセージを選択し、選択されたＵＥ特定パラメータにより、ＳＣＥＬＬ＃０上で、ａｐ−ＳＲＳを伝送する。
【００２１】
３ＧＰＰ  ＬＴＥ−Ａシステムにおいて、ｐ−ＳＲＳまたはａｐ−ＳＲＳパラメータを設定するため、２種のＳＲＳパラメータが、各搬送波成分に用いられる３ＧＰＰ  ＬＴＥ−Ａシステムで定義される。第１種のセル特定パラメータは、ＳＲＳバンド幅設定とＳＲＳサブフレーム設定を含む。セル特定パラメータが用いられて、ｅＮＢにより仕えられるセル中で割り当てられる全部のＳＲＳリソースを定義する。第２種のＵＥ特定パラメータ（たとえば、図５の表５９に示される）は、ＳＲＳバンド幅割り当て、ＳＲＳホッピングバンド幅、周波数ドメイン位置、ＳＲＳ期間、アンテナポート数、伝送コムおよび循環シフト（ＣＳ）を含む。ＵＥ特定パラメータが用いられて、各独立したＵＥのＳＲＳリソース割り当てを定義する。ｐ−ＳＲＳおよびａｐ−ＳＲＳが全体のＳＲＳリソースを共有するので、ｐ−ＳＲＳのセル特定パラメータがａｐ−ＳＲＳに再利用される。しかし、ａｐ−ＳＲＳのＵＥ特定パラメータは、ｐ−ＳＲＳと異なるので、ａｐ−ＳＲＳは、各ＵＥのａｐ−ＳＲＳとｐ−ＳＲＳとの間を多重化することにより、ｐ−ＳＲＳにより用いられない残りのリソースを使用することができる。ｐ−ＳＲＳのセル特定ＳＲＳパラメータはａｐ−ＳＲＳに再利用されるので、ＵＥ特定パラメータだけがａｐ−ＳＲＳ伝送に選択される必要がある。
【００２２】
ＵＥ特定ＳＲＳパラメータは上層ＲＲＣシグナリングにより設定されるので、設定時間は長く、シグナリングフレキシブル性が低い。ＳＲＳ配置を効果的に促進するため、各ＤＣＩフォーマットは、ひとつ又は複数の所定の組のＵＥ特定ＳＲＳパラメータと関連している。図５の表５８に示されるように、ＤＣＩフォーマット０およびフォーマット３／３Ａは、それぞれ、１組のＵＥ特定ＳＲＳパラメータと関連する。たとえば、ＤＣＩフォーマット０が、ＰＤＣＣＨ５３により、アップリンク承諾に用いられる場合、ＳＲＳバンド幅＝ＢＷ０、周波数ドメイン位置＝ｋ０、伝送コム＝ｃｏｍｂ０、循環シフト＝ｃｓ０およびアンテナポート＝ｐ０である所定のＳＲＳパラメータ組が選択される。同様に、ＤＣＩフォーマット１Ａが、ＰＤＣＣＨ５３により、ダウンリンク承諾に用いられる場合、ＳＲＳバンド幅＝ＢＷ１、周波数ドメイン位置＝ｋ１、伝送コム＝ｃｏｍｂ１、循環シフト＝ｃｓ１およびアンテナポート＝ｐ１である所定のＳＲＳパラメータ組が選択される。
【００２３】
一方、ＤＣＩフォーマット４は、３組のＵＥ特定ＳＲＳパラメータに関連している。図５は、２個のシグナリングビットを有するＳＲＳ要求のＤＣＩフォーマット４の例を示す図である。図５の例において、ｅＮＢ５１は２個のシグナリングビットを用いて、ＰＤＤＣＨ５３により、ＵＥ５２に用いられるＵＥ特定ａｐ−ＳＲＳパラメータを設定する。２個のシグナリングビットは４状態を示し、３組のパラメータの組み合わせの３状態、および、ａｐ−ＳＲＳのトリガーがない１状態を含む４状態を示す。３状態のそれぞれは、ＳＲＳバンド幅、周波数ドメイン位置、伝送コム、循環シフトおよびアンテナポートの所定のパラメータの組み合わせを示す。たとえば、ＳＲＳリクエスト＝１０の場合、ＳＲＳバンド幅＝ＢＷ４、周波数ドメイン位置＝ｋ４、伝送コム＝ｃｏｍｂ４、循環シフト＝ｃｓ４およびアンテナポート＝ｐ４である所定のＳＲＳパラメータ組が選択される。その後、ＵＥ５２は、この組のＳＲＳパラメータを用いて、サウンディングチャネル５６を割り当て、指示キャリアＳＣＥＬＬ＃０上のａｐ−ＳＲＳ伝送に用いるＳＲＳ５７を生成する。所定の組のＵＥ特定パラメータの実際値が更新されるか、または、必要時に、ＲＲＣシグナリングにより再設定される。ＳＲＳリクエスト＝００の場合、ａｐ−ＳＲＳ伝送は始動されない。
【００２４】
図６は、本実施形態によるマルチキャリアＬＴＥ−ＡシステムにおけるアップリンクＡＰ−ＳＲＳ伝送の第２の方法のフローチャートである。マルチキャリアＬＴＥ−ＡシステムはｅＮＢとＵＥを含む。ｅＮＢおよびＵＥは、プライマリＲＦキャリア（たとえば、ＰＣＣ上のＰＣＥＬＬ）および、ひとつまたは複数ののセカンダリＲＦキャリア（たとえば、ＳＣＣ上のＳＣＥＬＬ）を含む複数の無線周波数キャリア上で接続される。ステップ２０１において、ＵＥは、ＰＣＥＬＬのＰＣＣ上で、ｅＮＢから伝送されるＤＣＩフォーマット３／３Ａを受信する。ステップ２０２において、ＵＥは、ＤＣＩフォーマットで、複数の情報フィールド中のトリガー情報を決定する。各情報フィールドの位置はＵＥの指示キャリアに対応し、各情報フィールドの値はトリガー条件に対応する。トリガー条件の少なくとも一つが真の場合、ＵＥは、最新の配置ＵＥ特定ＳＲＳパラメータを選択する（ステップ２０３）。最後に、ＵＥは、選択されたＵＥ特定ＳＲＳパラメータを用いて、指示キャリア上で、ＡＰ−ＳＲＳを伝送する（ステップ２０４）。ＵＥ群が、同じＤＣＩフォーマットにより、アップリンクＡＰ−ＳＲＳ伝送にトリガーされるので、アップリンクＡＰ−ＳＲＳトリガーメカニズムの第二方法は、“グループワイズトリガー”とも称される。
【００２５】
図７は、マルチキャリアＬＴＥ−Ａシステム７０におけるアップリンクａｐ−ＳＲＳ伝送メカニズムの第２の“グループワイズトリガー”方法の一例を示す図である。マルチキャリアＬＴＥ−Ａシステムは、ｅＮＢ７１、ＵＥ７２およびＵＥ７３を含む。基地局（ｅＮＢ）７１、ＵＥ７２、ＵＥ７３は、４個の搬送波成分ＣＣ０、ＣＣ１、ＣＣ２およびＣＣ３をサポートする。ＣＣ０がプライマリー搬送波成分ＰＣＣで、別の３個のキャリアがＳＣＣであると仮定する。ＤＬサブフレームにおいて、ｅＮＢ７１は、プライマリキャリアＣＣ０上で、ＰＤＣＣＨ７４をＵＥ７２およびＵＥ７３に放送する。ＰＤＣＣＨ７４は、ＤＣＩフォーマット３／３Ａを含む。ＤＣＩフォーマット３は、送信電力制御（ＴＰＣ）命令の伝送に用いられ、２ビットの電力調整を有する物理アップリンク制御チャネル（ＰＵＣＣＨ）およびＰＵＳＣＨに用いられる。同様に、ＤＣＩフォーマット３Ａは、送信電力制御（ＴＰＣ）命令の伝送に用いられ、１ビットの電力調整を有するＰＵＣＣＨとＰＵＳＣＨに用いられる。
【００２６】
本実施態様において、ＤＣＩフォーマット３／３Ａに類似する新しいＤＣＩフォーマットが用いられて、複数のキャリア上で、アップリンクＡＰ−ＳＲＳ伝送のグループトリガーを実行する。混乱を回避するため、新しいＤＣＩフォーマットはＤＣＩフォーマット３’と称される。ＤＣＩフォーマット３’はＫ個の情報フィールドを含み、各フィールドはＭビットを含む。ｘ個のパディングビットが加えられることで、フォーマット３’中の総ビット数は、ＤＣＩフォーマット３／３Ａと等しくなる。ＰＤＣＣＨを放送することにより、ＤＣＩフォーマット３’がＵＥ群に伝送される。異なるＵＥ群は、異なる無線ネットワークテンポラリ識別子（ＲＮＴＩ）シーケンスにより分化される。各ＵＥ群中、各ＵＥは、Ｋ個の情報フィールド間で、Ｎ個のフィールドに割り当てられる。各ＵＥに対し、各フィールドは、ＵＥが、特定のキャリアで、ＡＰ−ＳＲＳを有効にすべきかどうかを示す。
【００２７】
図７の例において、ブロック７５は、ＰＤＣＣＨ７４中のＤＣＩフォーマット３’の一例を示す。特定の例において、ＳＲＳリクエストは、全部で２０個の情報フィールドを含み、各フィールドは１ビットを含み、各ＵＥは、４フィールドに分配される（たとえば、Ｋ＝２０、Ｍ＝１およびＮ＝４）。ＵＥ７２は、斜線の領域で示される４個の情報フィールドに分配され、ＵＥ７３は、灰色の領域で示される４個の情報フィールドに分配される。各ＵＥ中、各フィールドは、ＵＥが、特定のキャリアで、ａｐ−ＳＲＳを有効にすべきかどうかを示す。つまり、各フィールドの位置は特定のキャリアに対応し、各フィールドの値は、ａｐ−ＳＲＳが始動されるかどうかに対応する。ＵＥ７２に対し、フィールド２、７、１７および２０は、それぞれ、ＣＣ０、ＣＣ１、ＣＣ２およびＣＣ３に対応する。このほか、それらの各フィールドの値は０、１、０、１に等しいので、ＡＰ−ＳＲＳが、ＣＣ１およびＣＣ３に始動されるが、ＣＣ０およびＣＣ２には始動されないことを示す。同様に、ＵＥ７３に対し、フィールド５，９、１２および１４は、それぞれ、ＣＣ０、ＣＣ１、ＣＣ２およびＣＣ３に対応する。このほか、それらの各フィールドの値は１、０、０、１に等しいので、ＡＰ−ＳＲＳは、ＣＣ０およびＣＣ３に始動されるが、ＣＣ１およびＣＣ２には始動されないことを示す。
【００２８】
一旦、ａｐ−ＳＲＳが、ひとつ又は複数のキャリアに始動されることを、ＵＥが決定すると、ＵＥはＳＲＳパラメータを選択し、指示キャリア上で、ａｐ−ＳＲＳ信号を伝送する。たとえば、ＵＥ７２は、ＣＣ１およびＣＣ３上で、ａｐ−ＳＲＳ信号を伝送し、ＵＥ７３は、選択されたＳＲＳ−パラメータにより、ＣＣ０およびＣＣ３上で、ａｐ−ＳＲＳ信号を伝送する。グループトリガーに対し、各キャリアのセル特定およびＵＥ特定ａｐ−ＳＲＳパラメータはＲＲＣから設定される。図５を参照すると、ＤＣＩフォーマット３／３Ａにとって、ＳＲＳバンド幅＝ＢＷ２、周波数ドメイン位置＝ｋ２、伝送コム＝ｃｏｍｂ２、循環シフト＝ｃｓ２およびアンテナポート＝ｐ２である所定のＳＲＳパラメータ組が選択される。
【００２９】
ＳＲＳパラメータ設定のほか、ｅＮＢは、ＲＲＣシグナリングを用いて、各ＵＥをグループトリガーのその後のパラメータに設定する；グループトリガーのために監視されるべきＲＮＴＩシーケンス、グループ（たとえば、各ＵＥに属する情報フィールドの番号と位置）中のＳＲＳトリガー信号の索引、および、各ＵＥに用いられる対応するキャリア索引。
【００３０】
本発明では好ましい実施形態を前述の通り開示したが、これらは決して本発明に限定するものではなく、当該技術を熟知する者なら誰でも、本発明の思想を逸脱しない範囲内で各種の変形や改良を加えることができる。
【図１】
2013529040.tif 000003
【図２】
2013529040.tif 000004
【図３】
2013529040.tif 000005
【図４】
2013529040.tif 000006
【図５】
2013529040.tif 000007
【図６】
2013529040.tif 000008
【図７】
2013529040.tif 000009
【国際調査報告】
2013529040.tif 000010
2013529040.tif 000011